(57)【要約】【課題】ドラム部内に配設された発熱部を効率よく確実に冷却させることができ、ドラム部内に配設される部材のレイアウトの自由度を高め、装置の小型化及び静音化を図った内視鏡装置を提供する。【解決手段】内視鏡挿入部２１を外周面３ａに巻取りまたは繰り出しできる回動自在なドラム部３が箱体８１内に配設された内視鏡装置１であって、ドラム部３の外壁部の回動中心３ｓに貫通孔３ｊｈが形成されており、貫通孔３ｊｈの外周を覆うよう外壁部に一端が固定された中空の回動軸３１を介して、ドラム部３を回動自在に軸支する部材４が配設されており、ドラム部３の内部３ｉに、発熱部３２が配設されており、ドラム部３の内部３ｉ及び回動軸３１の中空部に、一端が発熱部３２に接続され、他端が、ドラム部３を回動自在に軸支する部材４に接続されたヒートパイプ１００が配設されていることを特徴とする。【選択図】図１
2006034816.tif 000002
【特許請求の範囲】
【請求項１】
柔軟であって細長な内視鏡挿入部を外周面に巻取りまたは外周面から繰り出しできる回動自在なドラム部が箱体内に配設された内視鏡装置であって、
上記ドラム部は複数の外壁部により内部に空間を有するよう構成され、上記ドラム部の外壁部の回動中心に該ドラム部の内部と外部とを連通する貫通孔が形成されており、
上記貫通孔の外周を覆うよう上記外壁部に一端が固定された中空の回動軸を介して、上記ドラム部を回動自在に軸支する部材が配設されており、
上記ドラム部の内部に、発熱部が配設されており、
上記ドラム部の内部及び上記回動軸の中空部に、一端が上記発熱部に接続され、他端が、上記ドラム部を回動自在に軸支する部材に接続されたヒートパイプが配設されていることを特徴とする内視鏡装置。
【請求項２】
上記発熱部は、上記内視鏡の光源部と、上記内視鏡に配設されたカメラのコントロールユニットとの少なくとも一方であることを特徴とする請求項１に記載の内視鏡装置。
【請求項３】
上記ドラム部を回動自在に軸支する部材の上記ヒートパイプの他端が接続された位置に、冷却手段が配設されていることを特徴とする請求項１または２に記載の内視鏡装置。
【請求項４】
上記冷却手段は、ヒートシンクまたはファンであることを特徴とする請求項３に記載の内視鏡装置。
【請求項５】
上記箱体に、雰囲気の吸排気を行う孔が少なくとも１つ形成されており、少なくとも１つの上記孔と上記ドラム部を回動自在に軸支する部材に配設された冷却手段とを連結する空気の通気路が形成されていることを特徴とする請求項１〜４のいずれかに記載の内視鏡装置。
【請求項６】
上記ドラム部の内部に、一端が上記発熱部に接続され、他端が上記ドラム部の外壁部に接続されたヒートパイプがさらに配設されていることを特徴とする請求項１〜５のいずれかに記載の内視鏡装置。
【請求項７】
上記ドラム部の外壁部の上記ヒートパイプの他端が接続された位置に、冷却手段が配設されていることを特徴とする請求項６に記載の内視鏡装置。
【請求項８】
上記冷却手段は、ヒートシンクまたはファンであることを特徴とする請求項７に記載の内視鏡装置。
【発明の詳細な説明】
【技術分野】
【０００１】
本発明は、細長な挿入部を巻き付けるドラム部を有する内視鏡装置に関する。
【背景技術】
【０００２】
周知のように、内視鏡は、医療分野及び工業用分野において広く利用されている。医療分野において用いられる内視鏡は、細長い挿入部を体腔内に挿入することによって、体腔内の臓器を観察したり、必要に応じて処置具の挿通チャンネル内に挿入した処置具を用いて各種処置をしたりすることができる。
【０００３】
また、工業用分野において用いられる内視鏡は、細長い挿入部をジェットエンジン内や、発電所の配管等に挿入することによって、被検部位の傷及び腐蝕等の観察や各種処置等を行うことができる。
【０００４】
よって、工業用内視鏡の挿入部は、長い配管の内部等が十分に観察できるよう、医療用のものと比べ非常に長く形成されている。工業用内視鏡の細長の挿入部は、内視鏡検査を行わない場合は、内視鏡装置の収納ケースに配設された回動自在なドラム部の外周に巻き付けられ、出来るだけコンパクトに内視鏡装置に収納、保管される。
【０００５】
内視鏡装置の収納ケース内に、上述したドラム部の他、電源部、挿入部に照明光を供給する光源部、挿入部先端の撮像素子に対して信号処理を行うカメラコントロールユニット（以下、ＣＣＵと称す）、挿入部の湾曲部を電動湾曲させる駆動機構を備えた電動湾曲装置、該電動湾曲装置を駆動制御して湾曲部の湾曲状態を制御する電動湾曲制御回路部等が設けられている。
【０００６】
そして、この内視鏡装置は、光源部、ＣＣＵ、電動湾曲装置、電動湾曲制御回路部等に、電源部から電力を供給する構成になっている。また、収納ケースの小型化を図るため、ドラム部内に、光源部、ＣＣＵ等の電気部品を配設する技術も周知である。
【０００７】
ところで、例えば光源部、ＣＣＵ等は、電源が供給されると発熱する。この際、ある一定の温度以上発熱すると、光源部が割れたり、ドラム内の雰囲気を過度に熱してしまい、他のドラム部内に配設された部品に熱が伝播してしまい、該部品に悪影響を及ぼす場合がある。
【０００８】
尚、この光源部等のドラム部内の雰囲気を熱する発熱部は、ドラム部の回動中心に配設されているとは限らない。よって、ドラム部の外周に対する内視鏡挿入部の巻き付け具合により、ドラム部が回動する毎に光源部等の発熱部の位置も移動することとなる。このことから、ドラム部回動停止後に発熱部が特定位置に常に位置するとは限らない。
【０００９】
例えば、特許文献１では、光源部、ＣＣＵ等をドラム部内に配設したことにより発生した収納ケース内のスペースに、ドラム部の外側からドラム部内の隅々まで空気を送り込む大風量の大型のファンを設けた。また、収納ケースに、冷却のための空気を吸気するための吸気部、及び冷却された雰囲気を収納ケースから排出するための排出部を設けた内視鏡装置が提案されている。
【００１０】
この内視鏡装置は、吸気部から吸気した空気を大型のファンを用いてドラム部内の隅々まで送気し、該ドラム部内から冷却に用いた雰囲気を排気部から収納ケースの外部に送気することにより、発熱部の熱及び発熱部により熱されたドラム部内の雰囲気を確実に冷却するようになっている。
【特許文献１】特開２００１−２６４６４３号公報
【発明の開示】
【発明が解決しようとする課題】
【００１１】
しかしながら、特許文献１に提案された内視鏡装置においては、大型ファンを用いているので、ファンを配設する収納ケースが大型化し、内視鏡装置自体が大型化してしまうといった問題がある。
【００１２】
また、ファンを大型化すると、ケース内でのファンの風切り音、及びファンを駆動するモータ音等の騒音が大きくなり、騒音対策を別途施す必要がある。
【００１３】
さらに、ドラム部内に、光源部、ＣＣＵ等の電気部品を配設する際、ドラム部の外側からドラム部内に配設された発熱部まで、確実に空気が送られるよう、空気の通気路を考慮して配設しなければならず、ドラム部内のレイアウトが制約を受け、設計の自由度が制限される不都合がある。
【００１４】
本発明は、上記問題点および上記事情に鑑みてなされたものであり、ドラム部内に配設された発熱部を効率よく確実に冷却させることができ、ドラム部内に配設される部材のレイアウトの自由度を高め、装置の小型化及び静音化を図った内視鏡装置を提供することを目的とする。
【課題を解決するための手段】
【００１５】
上記目的を達成するために本発明による内視鏡装置は、柔軟であって細長な内視鏡挿入部を外周面に巻取りまたは外周面から繰り出しできる回動自在なドラム部が配設された内視鏡装置であって、上記ドラム部は複数の外壁部により内部に空間を有するよう構成され、上記ドラム部の外壁部の回動中心に該ドラム部の内部と外部とを連通する貫通孔が形成されており、上記貫通孔の外周を覆うよう上記外壁部に一端が固定された中空の回動軸を介して、上記ドラム部を回動自在に軸支する部材が配設されており、上記ドラム部の内部に、発熱部が配設されており、上記ドラム部の内部及び上記回動軸の中空部に、一端が上記発熱部に接続され、他端が、上記ドラム部を回動自在に軸支する部材に接続されたヒートパイプが配設されていることを特徴とする。
【発明の効果】
【００１６】
本発明によれば、ドラム部内に配設された発熱部を効率よく確実に冷却させることができ、ドラム部内に配設される部材のレイアウトの自由度を高め、装置の小型化及び静音化を実現することができる。
【発明を実施するための最良の形態】
【００１７】
以下、図面を参照して本発明の実施の形態を説明する。  
（第１実施の形態）
図１は、本発明の第１実施の形態を示す内視鏡装置の一部を破いて示した斜視図、図２は、図１中のドラム部と周辺部材の一部を破いて構成を示した部分透視斜視図である。
【００１８】
図１に示すように、内視鏡装置１は、柔軟であって細長の挿入部２１を有する工業用の内視鏡（以下内視鏡と称す）２と、収納ケース８とにより、主要部が構成されている。収納ケース８は、移動用の車輪９９を下部に有する箱体８１と、該箱体８１の上部に開閉自在に接続された蓋体８２とにより構成され、未使用の際に内視鏡２等が収納される。尚、内視鏡２は、医療用内視鏡であってもよい。
【００１９】
収納ケース８の箱体８１の側面に、箱体８１内に配設された後述するドラム部３の外周面３ａに内視鏡２の挿入部２１を巻き取るためのドラムハンドル１４１が取り付けられたドラム巻取り蓋１４０が配設されている。
【００２０】
また、箱体８１の上面に、内視鏡２によって撮像された被検部位の画像を表示するモニタ７が配設されている。さらに、箱体８１の上面に、後述する空気流路制限部６５の開口である孔６５Ａが形成されている。
【００２１】
収納ケース８の箱体８１の内部に、収納した内視鏡２に外部から加わる衝撃力を吸収する図示しない緩衝材等が備えられている。また、箱体８１の内部に、内視鏡２を収納する際、内視鏡２の挿入部２１を外周面３ａに巻き取る、または内視鏡２を使用する際、挿入部２１を外周面３ａから繰り出すドラム部３、装置本体４、電源ユニット４０、電源分配基板４１（図２参照）、等が収納されている。
【００２２】
電源ユニット４０は、図２に示すように、電源分配基板４１及びケーブル（以下、ＦＦＣ（Flat Flexible Cable）と称す）４２を介して、ドラム部３と接続されている。詳しくは、電源ユニット４０の出力コネクタ４０ａは、電源分配基板４１に接続されている。
【００２３】
また、ドラム部３の回動数に応じた長さであって柔軟で平らな形状に構成されたＦＦＣ４２は、ドラム部３の回動軸３１に巻き付けられており、該ＦＦＣ４２の一端は、例えばドラム部３内に配設された図示しないカメラコントロールユニット（以下、ＣＣＵと称す）に接続されており、他端は電源分配基板４１に接続されている。よって、電源ユニット４０から供給された電源は、電源分配基板４１により、ＦＦＣ４２を介してドラム部３に供給される。
【００２４】
ドラム部３は、例えばアルミで構成されており、外壁部である上面板３ｊ，下面板３ｋ及び外周面３ａを有する管状部材により構成されたフランジ形状を有している。ドラム部３の上面板３ｊの回動中心３ｓに、ドラム部３の内部３ｉと外部とを連通する貫通孔３ｊｈ（図３参照）が形成されている。ドラム部３の内部３ｉに、後述する発熱部３２、ヒートパイプ１００等が配設されている。
【００２５】
装置本体４の内部に、図示しない、内視鏡装置１の電源ユニット、画像記録ユニット基板、各種基板とユニット間とを接続する接続ケーブル等が配設されている。さらに、空気の通気路である空気流路制限部６５及び冷却手段であるヒートシンク７７が配設されている。
【００２６】
次に、箱体８１の内部の構成を、図３、図４を用いて説明する。図３は、図１中の箱体の内部に配設された部材の構成を示す箱体の透視正面図、図４は、図１のドラム部の内部に配設された部材の構成を示すドラム部の透視斜視図である。
【００２７】
図３に示すように、内部に空間３１ｉを有する中空の回動軸３１の一端３１ａは、上面板３ｊの回動中心３ｓに形成された貫通孔３ｊｈの外周を覆うよう、ドラム部３の上面板３ｊの回動中心３ｓに配設された図示しない軸受けに接続されている。尚、回動軸３１の内部空間３１ｉの径は、貫通孔３ｊｈの径と同じか、それ以上に形成されている。また、回動軸３１の他端３１ｂは、装置本体４の一つの側面に配設された図示しない軸受けに接続されている。よって、装置本体４は、中空の回動軸３１を介してドラム部３を回動自在に軸支する部材である。
【００２８】
図４に示すように、ドラム部３の内部３ｉに、発熱部３２、ヒートパイプ１００、ドラム部３の内部３ｉに配設された各種電気部品に電源及び各種信号を供給する制御基板１５０、ドラム部３を回動させるためのモータ１５１等が配設されている。
【００２９】
発熱部３２は、例えば電源が供給されることにより、発熱する部材により構成されている。例えば挿入部２１の基端に連結されることにより、挿入部２１に挿通された図示しないライトカイドの基端面に照明光を供給するランプ部と点灯装置（いずれも図示されず）とにより主要部が構成された光源部、または挿入部２１の先端部に配設された図示しない電荷結合素子型固体撮像素子等に対する信号処理を行うＣＣＵが挙げられる。尚、以下、発熱部３２は、光源部を例に挙げて説明する。
【００３０】
光源部３２は、図３，４に示すように、ドラム部３の内部３ｉの外周面３ａ寄りに、各種制御基板１５０及びモータ１５１等とともに配設されている。よって、光源部３２は、ドラム部３と一体に回動する。
【００３１】
ヒートパイプ１００は、ドラム部３の内部３ｉ及び回動軸３１の内部空間３１ｉに、次のように折り曲げられて配設されている。先ず、ヒートパイプ１００の一端部をクランク状に折り曲げられることにより、一端が図３，図４に示すように、光源部３２の一側面に接続されており、しかる後、ドラム部３の回動中心３ｓにおいて装置本体４側に折り曲げられて、上面板３ｊに形成された貫通孔３ｊｈ及び回動軸３１の内部空間３１ｉに挿通されて、他端が装置本体４の一つの側面に接続されている。
【００３２】
ヒートパイプ１００は、例えばウィックという網目状材料を内張りした金属パイプの中に少量の液体が封入されており、該液体が片方で熱せられると蒸気流となって他方に移動し、他方で冷やされるとまた液体化してウィックを通して元に戻るという対流構造を利用した既知の熱伝導媒体である。
【００３３】
装置本体４の内部であって、ヒートパイプ１００の他端が接続された位置と近接する位置に、冷却手段であるヒートシンク７７が配設されている。ヒートシンクとは、放熱のために使われる金属製の板、所謂放熱板のことであり、一般に発熱のために誤動作する可能性のある部品の冷却に使用されるものである。尚、ヒートシンク７７は、ヒートパイプ１００の他端と接続されていて、ドラム部３の回動と共に回動してもよい。
【００３４】
装置本体４の内部に、板金または断熱材等で形成された空気の通気路である空気流路制限部６５が、装置本体４の内壁に固定され配設されている。空気流路制限部６５の一端は、箱体８１の上面に孔６５Ａとして開口されており、他端は、ヒートシンク７７の近傍において開口されている。よって、空気流路制限部６５及び、開口６５Ａは、ドラム部３の回動に関係無く、箱体８１において位置している。
【００３５】
以下、このように構成された本実施形態の内視鏡装置１の作用を説明する。先ず、光源部３２が発熱すると、光源部３２の熱は、該光源部３２の一側面に接続された一端からヒートパイプ１００に伝達され、さらに、該熱は、ヒートパイプ１００の他端からヒートシンク７７に伝達される。その後、ヒートシンク７７の熱放射により、雰囲気Ｎは、空気流路制限部６５を通って、開口６５Ａから箱体８１の外部に排気される。このことにより、光源部３２の熱は確実に冷却される。
【００３６】
この際、ヒートパイプ１００は、ドラム部３の内部３ｉからドラム部３の上面板３ｊの回動中心３ｓに形成された貫通孔３ｊｈ及び回動軸３１の内部空間３１ｉに挿通され、装置本体４まで延出しているため、内視鏡２の挿入部をドラム部３の外周面３ａから繰り出す、または外周面３ａに巻き取る際、ドラム部３が回動しても、ヒートパイプ１００はねじれることがない。よって、ドラム部３のあらゆる回動位置においても、光源部３２からの熱を確実に、装置本体４に配設されたヒートシンク７７に伝達することができる。
【００３７】
また、空気流路制限部６５は、板金または断熱材等により構成されているため、ヒートシンク７７の熱放射により、装置本体４の内部に配設された各種部材に熱が伝達することを防ぐことができる。
【００３８】
さらに、光源部３２の冷却に、ヒートパイプ１００を用いることにより、光源部３２の冷却にファンを用いたときよりも静音性を高めることができる。さらに、ヒートパイプ１００自体は、発熱しないため、ドラム部３の内部３ｉの雰囲気を熱することがないので、ドラム部３の内部３ｉに配設された他の電気部品への熱の伝播を防ぐことができる。
【００３９】
また、ヒートパイプ１００は、所望の形状に折り曲げることができるため、ドラム部３の内部３ｉに各種部材のレイアウトが制限を受け難く、設計の自由度を高めることができる。
【００４０】
さらに、光源部３２の冷却に冷却ファンを使用することがなくなるため、ドラム部３を小型化することができ、その結果、収納ケース８の箱体８１を小型化することができ、さらに、内視鏡装置１全体を小型化することができる。
【００４１】
尚、以下、本実施の形態の変形例を図５、図６を用いて示す。本実施の形態においては、ヒートパイプ１００の一端は、光源部３２の一側面に接続されると示した。これに限らず、図５に示すように、ヒートパイプ１００の一端を、ドラム部３内のある一部、例えば上面板３ｊ、またはドラム部３内の金属外装のある一部に接続してもよい。
【００４２】
また、図６に示すように、ヒートパイプ１００の一端は、ドラム部３の内部に限らず、ドラム部３の外壁部、例えば上面板３ｊの外壁部の任意の位置に接続してもよい。
【００４３】
このように、ヒートパイプ１００の一端を、ドラム部３の一部に接続することにより、ドラム部３の内部３ｉの雰囲気を規定の温度以下に下げることができる。
【００４４】
さらに、本実施の形態においては、ヒートパイプ１００は、１本使用する例を挙げて説明したが、これに限らず、回動軸３１の内部空間３１ｉの径の許す限り、何本使用しても良いということは云うまでもない。
【００４５】
また、光源部３２は、ドラム部３の内部３ｉの外周面３ａ寄りに配設されていると示したが、これに限らず、ドラム部３の回動中心３ｓ上に配設されていてもよい。この場合、ヒートパイプ１００は、折り曲げられずに、ドラム部３の内部３ｉ、及び回動軸３１の内部空間３１ｉに挿通される。
【００４６】
さらに、以下、別の変形例を示す。本形態においては、ヒートパイプにより冷却される発熱部は、光源部３２を例に挙げて示したが、ＣＣＵでも良く、さらに、ドラム部内に配設され、電源が供給されることにより発熱するものであれば、あらゆる電気部品でも良いことは勿論である。
【００４７】
また、以下、別の変形例を示す。上述した本実施の形態においては、光源部を１個冷却する例を示したが、ドラム部３内に配設されている全ての発熱部に適用できるということは勿論である。即ち、光源部，ＣＣＵ及び他の電気部品を同時にヒートパイプを用いて冷却するようにしてもよい。
【００４８】
さらに、以下、別の変形例を図７〜図９を用いて示す。本実施の形態においては、装置本体４は、中空の回動軸３１を介してドラム部３を回動自在に軸支すると示した。これに限らず、図７，図８に示すように、回動軸３１は、回転リング７１を介したベアリング７０を用いた構成にしてもよい。また、図９に示すように、ベアリング７０のみを用いた構成にしてもよい。
【００４９】
（第２実施の形態）
図１０は、本発明の第２実施の形態を示す内視鏡装置の一部を破いて示した斜視図、図１１は、図１０中の箱体の内部に配設された部材の構成を示す箱体の透視正面図である。
【００５０】
この第２実施の形態の内視鏡装置２０１の構成は、上記図１乃至図４に示した内視鏡装置１と比して、ヒートパイプ１００の熱を、箱体８１の外部に排気する際、ヒートシンク７７の代わりにファン１７７を用いた点のみが異なる。よって、この相違点のみを説明し、第１実施の形態と同様の構成には同じ符号を付し、その説明は省略する。また本実施の形態においても、発熱部は、光源部３２を例に挙げて説明する。
【００５１】
図１０に示すように、箱体８１の上面であって、装置本体４側に、空気流路制限部６５の開口である孔６５Ａが形成されている。尚、本実施の形態においては、孔６５Ａは、後述する箱体内に空気Ａを吸気する吸気孔となっている。
【００５２】
また、箱体８１の上面であって、ドラム巻き取り蓋１４０側に、箱体８１の内部と連通する孔１８５が形成されている。尚、本実施の形態においては、孔１８５は、後述する箱体８１内の雰囲気Ａ’を箱体８１の外部に排気する排気孔となっている。
【００５３】
装置本体４の内部に、図示しない、内視鏡装置１の電源ユニット、画像記録ユニット基板、各種基板とユニット間とを接続する接続ケーブル等が配設されている。さらに、空気の通気路である空気流路制限部６５及び冷却手段であるファン１７７が配設されている。
【００５４】
詳しくは、図１１に示すように、装置本体４の内部であって、ヒートパイプ１００の他端が接続された位置と近接する位置に、冷却手段であるファン１７７が配設されている。
【００５５】
装置本体４の内部に、板金または断熱材等により形成された空気の通気路である空気流路制限部６５が、装置本体４の内部に内蔵物とともに配設されている。空気流路制限部６５の一端は、箱体８１の上面に吸気孔６５Ａとして開口されており、他端は、ファン１７７の近傍において開口されている。よって、空気流路制限部６５及び、吸気孔６５Ａは、ドラム部３の回動に関係無く、箱体８１において位置している。
【００５６】
以下、このように構成された本実施形態の内視鏡装置２０１の作用を説明する。先ず、光源部３２が発熱すると、光源部３２の熱は、該光源部３２の一側面に接続されたヒートパイプの一端からヒートパイプ１００に伝達される。その後、ヒートパイプ１００の他端に伝達された熱は、該他端から、ファン１７７により、排気孔１８５から箱体８１の外部へ排気される。
【００５７】
詳しくは、図１１に示すように、ファン１７７が一方向に回転することにより、吸気孔６５Ａから箱体８１の外部の空気Ａが、空気流路制限部６５を通ってファン１７７まで導入される。尚、ドラム部３の内部３ｉに温度センサを配設し、該温度センサが規定の温度以上になったときのみファン１７７を回転させるようにしてもよい。
【００５８】
その後、ヒートパイプ１００の他端に伝達された熱は、空気Ａにより冷却され、該冷却された雰囲気Ａ’は、箱体８１の内部を通り、ファン１７７により排気孔１８５から箱体８１の外部に排気される。このことにより、光源部３２の熱は、確実に冷却される。
【００５９】
この際、ヒートパイプ１００は、ドラム部３の内部３ｉからドラム部３の上面板３ｊの回動中心３ｓに形成された貫通孔３ｊｈ及び回動軸３１の内部空間３１ｉに挿通され、装置本体４まで延出しているため、内視鏡２の挿入部をドラム部３の外周面３ａから繰り出す、または外周面３ａに巻き取る際、ドラム部３が回動しても、ヒートパイプ１００はねじれることがない。よって、ドラム部３のあらゆる回動位置においても、光源部３２からの熱を確実に、装置本体４に配設されたファン１７７まで伝達することができる。
【００６０】
尚、その他の効果は、上述した第１実施の形態の内視鏡装置１と同様である。  
尚、以下、本実施の形態の変形例を示す。本実施の形態においては、ファン１７７を一方向に回転させることにより、吸気孔６５Ａから箱体８１内に空気Ａを吸気し、排気孔１８５から雰囲気Ａ’を排気すると示した。
【００６１】
これに限らず、ファン１７７を上記一の方向とは反対の方向に回転させることにより、排気孔１８５から箱体８１内に空気Ａを吸気し、吸気孔６５Ａから雰囲気Ａ’を排気するようにしてもよい。
【００６２】
また、以下、別の変形例を示す。本実施の形態においても、ヒートパイプ１００は、１本使用する例を挙げて説明したが、これに限らず、回動軸３１の内部空間３１ｉの径の許す限り、何本使用しても良いということは云うまでもない。
【００６３】
さらに、以下、別の変形例を示す。本実施の形態においては、装置本体４の内部であって、ヒートパイプ１００の他端が接続された位置と近接する位置に、冷却手段であるファン１７７が配設されていると示した。
【００６４】
これに限らず、装置本体４の内部であって、ヒートパイプ１００の他端が接続された位置と近接する位置に、上述した第１実施の形態において示したヒートシンク７７を配設し、さらに、ヒートシンク７７に対向する位置に、ファン１７７を配設してもよい。このような構成によれば、より効果的に光源部３２の熱を冷却することができる。
【００６５】
尚、この際、ファン１７７は、ヒートシンク７７と接続されていて、ドラム部３と共に回動してもよいし、ドラム部３の回動とは無関係に装置本体４に固定されていてもよい。
【００６６】
また、第２実施の形態におけるその他の変形例は、上述した第１実施の形態における変形例を適用してもよい。
【００６７】
また、以下、別の変形例を図１２、図１３を用いて示す。上述した第１実施の形態及び第２実施の形態においては、ヒートパイプ１００は、一端が、ドラム部３の内部に配設された光源部３２の一側面に接続され、他端が、装置本体４の一つの側面または、ヒートシンク７７に接続されると示した。
【００６８】
これに限らず、図１２に示すように、一端が、光源部３２のヒートパイプ１００の一端が接続された位置以外の位置に接続され、他端がドラム３内の外壁部、例えば下面板３ｋに接続された、ヒートパイプ２００を、ドラム部３内に別途設けても良い。
【００６９】
このような構成によれば、光源部３２の熱は、ヒートパイプ２００により、アルミ金属等で構成されたドラム部の外壁部において熱発散されるため、より効果的に光源部３２の熱を冷却することができる。
【００７０】
尚、この場合においても、ファン１７７を上記一の方向とは反対の方向に回転させることにより、排気孔１８５から箱体８１内に空気Ａを吸気し、吸気孔６５Ａから雰囲気Ａ’を排気するようにしてもよい。
【００７１】
また、図１３に示すように、ドラム部３の下面板３ｋのヒートパイプ２００の他端が接続された位置に、さらにファン２７７を配設しても、より効果的に光源部３２の熱を冷却することができる。また、ファン２７７の代わりにヒートシンクを用いても良い。
【００７２】
さらに、上述した第１実施の形態及び第２実施の形態においては、装置本体４の内部であって、ヒートパイプ１００の他端が接続された位置と近接する位置に、ヒートシンク７７またはファン１７７を設けたが、ヒートシンク７７またはファン１７７は、設けなくても上述した第１実施の形態及び第２実施の形態と同様の効果を得ることができる。
【００７３】
［付記］
以上詳述した如く、本発明の実施形態によれば、以下の如き構成を得ることができる。即ち、
（１）柔軟であって細長な内視鏡挿入部を外周面に巻取りまたは外周面から繰り出しできる回動自在なドラム部が箱体内に配設された内視鏡装置であって、
上記ドラム部は複数の外壁部により内部に空間を有するよう構成され、上記ドラム部の外壁部の回動中心に該ドラム部の内部と外部とを連通する貫通孔が形成されており、
上記貫通孔の外周を覆うよう上記外壁部に一端が固定された中空の回動軸を介して、上記ドラム部を回動自在に軸支する部材が配設されており、
上記ドラム部の内部に、発熱部が配設されており、
上記ドラム部の内部及び上記回動軸の中空部に、一端が上記発熱部に接続され、他端が、上記ドラム部を回動自在に軸支する部材に接続されたヒートパイプが配設されていることを特徴とする内視鏡装置。
【００７４】
（２）上記発熱部は、上記内視鏡の光源部と、上記内視鏡に配設されたカメラのコントロールユニットとの少なくとも一方であることを特徴とする付記１に記載の内視鏡装置。
【００７５】
（３）上記ドラム部を回動自在に軸支する部材の上記ヒートパイプの他端が接続された位置に、冷却手段が配設されていることを特徴とする付記１または２に記載の内視鏡装置。
【００７６】
（４）上記冷却手段は、ヒートシンクまたはファンであることを特徴とする付記３に記載の内視鏡装置。
【００７７】
（５）上記箱体に、雰囲気の吸排気を行う孔が少なくとも１つ形成されており、少なくとも１つの上記孔と上記ドラム部を回動自在に軸支する部材に配設された冷却手段とを連結する空気の通気路が形成されていることを特徴とする付記１〜４のいずれかに記載の内視鏡装置。
【００７８】
（６）上記ドラム部の内部に、一端が上記発熱部に接続され、他端が上記ドラム部の外壁部に接続されたヒートパイプがさらに配設されていることを特徴とする付記１〜５のいずれかに記載の内視鏡装置。
【００７９】
（７）上記ドラム部の外壁部の上記ヒートパイプの他端が接続された位置に、冷却手段が配設されていることを特徴とする付記６に記載の内視鏡装置。
【００８０】
（８）上記冷却手段は、ヒートシンクまたはファンであることを特徴とする付記７に記載の内視鏡装置。
【図面の簡単な説明】
【００８１】
【図１】本発明の第１実施の形態を示す内視鏡装置の一部を破いて示した斜視図。
【図２】図１中のドラム部と周辺部材の一部を破いて構成を示した部分透視斜視図。
【図３】図１中の箱体の内部に配設された部材の構成を示す箱体の透視正面図。
【図４】図１のドラム部の内部に配設された部材の構成を示すドラム部の透視斜視図。
【図５】図１のドラム部の内部に配設された部材の構成の変形例を示すドラム部の透視斜視図。
【図６】ドラム部の外部に、ヒートパイプの他端を接続した変形例を示すドラム部の透視斜視図。
【図７】図３中のドラム部と装置本体との他の接続例を示した断面図。
【図８】図７の部分斜視図。
【図９】ドラム部と装置本体とのさらに他の接続例を示した断面図。
【図１０】本発明の第２実施の形態を示す内視鏡装置の一部を破いて示した斜視図。
【図１１】図１０中の箱体の内部に配設された部材の構成を示す箱体の透視正面図。
【図１２】図１０中の箱体の内部に配設された部材の構成の変形例を示す箱体の透視正面図。
【図１３】図１０中の箱体の内部に配設された部材の構成のさらに他の変形例を示す箱体の透視正面図。
【符号の説明】
【００８２】
１…内視鏡装置
３…ドラム部
３ａ…外周面
３ｉ…内部空間
３ｊ…上面板
３ｊｈ…貫通孔
３ｋ…下面板
３ｓ…ドラムの回動中心
４…装置本体
２１…内視鏡挿入部
３１…中空の回動軸
３２…光源部（発熱部）
６５…空気流路制限部
６５Ａ…孔
７７…ヒートシンク
８１…箱体
１００…ヒートパイプ
１７７…ファン
１８５…孔
２００…ヒートパイプ
２０１…内視鏡装置
２７７…ヒートシンク
２７７…ファン
代理人    弁理士    伊藤  進
【図１】
2006034816.tif 000003
【図２】
2006034816.tif 000004
【図３】
2006034816.tif 000005
【図４】
2006034816.tif 000006
【図５】
2006034816.tif 000007
【図６】
2006034816.tif 000008
【図７】
2006034816.tif 000009
【図８】
2006034816.tif 000010
【図９】
2006034816.tif 000011
【図１０】
2006034816.tif 000012
【図１１】
2006034816.tif 000013
【図１２】
2006034816.tif 000014
【図１３】
2006034816.tif 000015